(57)【要約】【課題】ボイラの寿命延長を実現でき、且つ、循環ガスに含まれる一酸化炭素の濃度を低減できるコークス乾式消火設備の循環ガス燃焼装置の提供。【解決手段】冷却塔３、除塵器４、ボイラ５の順に循環ガス２が循環する循環ガス経路８において、循環ガス２を燃焼させるコークス乾式消火設備１の循環ガス燃焼装置７であって、除塵器４は、重力沈降式の除塵器であり、除塵器４の上流側の冷却塔３の出口部８Ａにおいて、循環ガス経路８に一次燃焼用空気を供給する一次燃焼用空気供給部１０と、除塵器４の下流側のボイラ５の入口部８Ｂにおいて、循環ガス経路８に二次燃焼用空気を混入させる二次燃焼用空気供給部２０と、を有する、という構成を採用する。【選択図】図１
2016089039.tif 000002
【特許請求の範囲】
【請求項１】
赤熱コークスを循環ガスで冷却する冷却塔と、前記冷却塔を通過した前記循環ガスに含まれる固形分の少なくとも一部を除塵する除塵器と、前記除塵器を通過した前記循環ガスから熱回収するボイラと、を有し、前記冷却塔、前記除塵器、前記ボイラの順に前記循環ガスが循環する循環ガス経路において、前記循環ガスを燃焼させるコークス乾式消火設備の循環ガス燃焼装置であって、
前記除塵器は、重力沈降式の除塵器であり、
前記除塵器の上流側の前記冷却塔の出口部において、前記循環ガス経路に一次燃焼用空気を供給する一次燃焼用空気供給部と、
前記除塵器の下流側の前記ボイラの入口部において、前記循環ガス経路に二次燃焼用空気を混入させる二次燃焼用空気供給部と、を有する、ことを特徴とするコークス乾式消火設備の循環ガス燃焼装置。
【請求項２】
前記冷却塔の出口部は、前記冷却塔の周壁部の周方向に沿って設けられた環状煙道を有し、
前記一次燃焼用空気供給部は、前記環状煙道の底部に開口し、且つ、前記環状煙道の周方向に沿って並ぶ複数の空気供給口を有する、ことを特徴とする請求項１に記載のコークス乾式消火設備の循環ガス燃焼装置。
【請求項３】
前記一次燃焼用空気供給部は、前記複数の空気供給口のそれぞれから供給される前記一次燃焼用空気の流量を個別に調節する複数の流量調節弁を有する、ことを特徴とする請求項２に記載のコークス乾式消火設備の循環ガス燃焼装置。
【請求項４】
前記二次燃焼用空気供給部は、前記ボイラの入口部の底部に開口し、且つ、前記循環ガス経路の幅方向に沿って並ぶ複数の第２の空気供給口を有する、ことを特徴とする請求項１〜３のいずれか一項に記載のコークス乾式消火設備の循環ガス燃焼装置。
【請求項５】
前記二次燃焼用空気供給部は、前記複数の第２の空気供給口のそれぞれから供給される前記二次燃焼用空気の流量を個別に調節する複数の第２の流量調節弁を有する、ことを特徴とする請求項４に記載のコークス乾式消火設備の循環ガス燃焼装置。
【発明の詳細な説明】
【技術分野】
【０００１】
本発明は、コークス乾式消火設備の循環ガス燃焼装置に関するものである。
【背景技術】
【０００２】
コークス乾式消火設備は、コークス炉で乾留（蒸し焼き）した赤熱コークスを冷却塔の上方から装入し、その下方より供給される循環ガス（不活性ガス）による対向流によって赤熱コークスを消火、冷却すると共に、その下流側に設けられたボイラにおいて赤熱コークスの顕熱を熱回収する構成となっている。このようなコークス乾式消火設備には、循環ガスに含まれる固形分（主としてコークス粉、その他のダスト）を除塵する除塵器を冷却塔とボイラとの間に設け、循環ガスがボイラに導入される前に、循環ガスの除塵を行っている。
【０００３】
ところで、赤熱コークスは、水素（Ｈ２）を主体とするボラタイルマターを有しており、コークス乾式消火設備の閉回路の循環ガス経路において、その水素が燃焼すると、燃焼反応により水蒸気（Ｈ２０）が発生する。この水蒸気が、冷却塔の高温のコークス層を通過する際、水性ガス反応により水素と一酸化炭素（ＣＯ）が発生し、循環ガス経路の可燃性ガス（水素や一酸化炭素）の濃度が上昇する。このため、コークス乾式消火設備では、循環ガス経路に空気を供給して可燃性ガスを希釈し、余剰ガスを系外に排出すると共に、不活性ガスの補給を行っている（例えば、特許文献１参照）。
【０００４】
特許文献１には、コークス乾式消火設備の循環ガスに含まれる可燃性ガスを完全燃焼させることにより、ボイラの蒸気発生量を増加させる蒸気回収方法が開示されている。このコークス乾式消火設備は、除塵器として、邪魔板を備える邪魔板反転式の除塵器を備え、その除塵器の上流側の冷却塔の出口部において、循環ガス経路の天井及び側壁から同時に空気を供給し、循環ガスに含まれる可燃性ガスを十分に燃焼させるようになっている。
【先行技術文献】
【特許文献】
【０００５】
【特許文献１】特開平５−１４０５６２号公報
【発明の概要】
【発明が解決しようとする課題】
【０００６】
しかしながら、上記従来技術には、次のような問題がある。
従来技術では、邪魔板反転式の除塵器を備えている。循環ガスに含まれる固形分は邪魔板に衝突することで除塵されるが、循環ガスは邪魔板を大きく迂回することとなるため、循環ガスの流れが偏って、除塵器の下流側のボイラの入口部における循環ガスの流速分布が不均一となる。流速分布が不均一な状態の循環ガスがボイラに導入されると、粉コークスの集中によるボイラチューブの局所摩耗が促進する。
【０００７】
また、近年、環境基準において、余剰ガスとして大気に放出する循環ガスに含まれる一酸化炭素の濃度に厳しい制限が課せられている。除塵器内では、上記水性ガス反応と、一酸化炭素が燃焼反応によって二酸化炭素（ＣＯ２）となり、その二酸化炭素がコークス粉に触れて一酸化炭素に還元されるソリューション反応と、が生じる条件（ガス温度、粉コークス量）が十分に揃っている。そうすると、冷却塔の出口部において一酸化炭素を燃焼させても、除塵器内で再び一酸化炭素の濃度が上昇することがあり、循環ガスに含まれる一酸化炭素の濃度が、余剰ガスとして大気に放出可能な環境基準を超えてしまうことが懸念される。
【０００８】
本発明は、上記問題点に鑑みてなされたものであり、ボイラの寿命延長を実現でき、且つ、循環ガスに含まれる一酸化炭素の濃度を低減できるコークス乾式消火設備の循環ガス燃焼装置の提供を目的とする。
【課題を解決するための手段】
【０００９】
上記の課題を解決するために、本発明は、赤熱コークスを循環ガスで冷却する冷却塔と、前記冷却塔を通過した前記循環ガスに含まれる固形分の少なくとも一部を除塵する除塵器と、前記除塵器を通過した前記循環ガスから熱回収するボイラと、を有し、前記冷却塔、前記除塵器、前記ボイラの順に前記循環ガスが循環する循環ガス経路において、前記循環ガスを燃焼させるコークス乾式消火設備の循環ガス燃焼装置であって、前記除塵器は、重力沈降式の除塵器であり、前記除塵器の上流側の前記冷却塔の出口部において、前記循環ガス経路に一次燃焼用空気を供給する一次燃焼用空気供給部と、前記除塵器の下流側の前記ボイラの入口部において、前記循環ガス経路に二次燃焼用空気を混入させる二次燃焼用空気供給部と、を有する、という構成を採用する。
この構成を採用することによって、本発明では、重力沈降式の除塵器の上流側の冷却塔の出口部において一次燃焼が行われ、その除塵器の下流側のボイラの入口部において二次燃焼が行われる。重力沈降式の除塵器は、邪魔板が無いため、循環ガスの流れが偏ることがなく、温度分布が均一な状態で循環ガスをボイラに導入させることができる。また、本発明では、除塵器の下流側のボイラの入口部において二次燃焼が行われるため、除塵器内で水性ガス反応及びソリューション反応が生じ一酸化炭素が再び発生しても、除塵器内で発生した一酸化炭素を燃焼させることができる。また、本発明では、重力沈降式の除塵器を採用することで、ボイラの入口部における循環ガスのガス流速が遅く、ボイラの入口部の空間容積が大きくなるため、この大きな空間を利用した二次燃焼により、循環ガスに含まれる一酸化炭素の濃度を効果的に低減させることができる。
【００１０】
また、本発明においては、前記冷却塔の出口部は、前記冷却塔の周壁部の周方向に沿って設けられた環状煙道を有し、前記一次燃焼用空気供給部は、前記環状煙道の底部に開口し、且つ、前記環状煙道の周方向に沿って並ぶ複数の空気供給口を有する、という構成を採用する。
この構成を採用することによって、本発明では、空気供給口が環状煙道の底部の略全体から一次燃焼用空気を供給して、環状煙道の底部で可燃性ガスを燃焼させる。燃焼により発生した高温ガスは、煙突効果により循環ガス経路において底部から天井に向かって上昇し、冷却塔の出口部に向かう過程で循環ガスと均一に混ざり合うため、ボイラの入口部における上部が他の部分よりも高温となるといったことを防止することができる。
【００１１】
また、本発明においては、前記一次燃焼用空気供給部は、前記複数の空気供給口のそれぞれから供給される前記一次燃焼用空気の流量を個別に調節する複数の流量調節弁を有する、という構成を採用する。
この構成を採用することによって、本発明では、環状煙道の周方向における一次燃焼空気の流量分布を調節することが可能となる。このため、本発明では、循環ガスの環状煙道における流れに適した配分で、一次燃焼用空気を供給することができる。
【００１２】
また、本発明においては、前記二次燃焼用空気供給部は、前記ボイラの入口部の底部に開口し、且つ、前記循環ガス経路の幅方向に沿って並ぶ複数の第２の空気供給口を有する、という構成を採用する。
この構成を採用することによって、本発明では、第２の空気供給口が循環ガス経路の底部の幅方向略全体から二次燃焼用空気を供給して、循環ガス経路の底部で可燃性ガスを燃焼させる。燃焼により発生した高温ガスは、煙突効果により循環ガス経路において底部から天井に向かって上昇し、その過程で循環ガスと均一に混ざり合うため、ボイラの入口部における上部が他の部分よりも高温となるといったことを防止することができる。
【００１３】
また、本発明においては、前記二次燃焼用空気供給部は、前記複数の第２の空気供給口のそれぞれから供給される前記二次燃焼用空気の流量を個別に調節する複数の第２の流量調節弁を有する、という構成を採用する。
この構成を採用することによって、本発明では、循環ガス経路の幅方向における二次燃焼空気の流量分布を調節することが可能となる。このため、本発明では、循環ガスのボイラの入口部における流れに適した配分で、二次燃焼用空気を供給することができる。
【発明の効果】
【００１４】
本発明によれば、ボイラの寿命延長を実現でき、且つ、循環ガスに含まれる一酸化炭素の濃度を低減できる。
【図面の簡単な説明】
【００１５】
【図１】本発明の実施形態におけるコークス乾式設備の構成を示す図である。
【図２】図１の矢視Ａ−Ａ図である。
【図３】図２の矢視Ｂ−Ｂ図である。
【図４】図１の矢視Ｃ−Ｃ図である。
【図５】本発明の実施形態の一変形例に係る一次燃焼用空気供給部の構成を示す図である。
【図６】本発明の実施形態の一変形例に係る二次燃焼用空気供給部の構成を示す図である。
【図７】本発明の実施形態の一変形例に係る二次燃焼用空気供給部の構成を示す図である。
【発明を実施するための形態】
【００１６】
以下、本発明の実施形態について図面を参照して説明する。
【００１７】
図１は、本発明の実施形態におけるコークス乾式設備１の構成を示す図である。図２は、図１の矢視Ａ−Ａ図である。図３は、図２の矢視Ｂ−Ｂ図である。図４は、図１の矢視Ｃ−Ｃ図である。
コークス乾式消火設備１は、図１に示すように、循環ガス２（図１において白抜き矢印で示す）を循環させ、赤熱コークスを冷却すると共に、赤熱コークスの顕熱を熱回収する設備である。循環ガス２は、不活性ガス（例えば窒素）を主成分とするガスである。
【００１８】
コークス乾式消火設備１は、冷却塔３と、除塵器４と、ボイラ５と、循環ガス吹込装置６と、循環ガス燃焼装置７と、を有する。コークス乾式消火設備１には、冷却塔３、除塵器４、ボイラ５の順に循環ガス２が循環する循環ガス経路８が形成されており、循環ガス吹込装置６がボイラ５を通過した循環ガス２を再び冷却塔３の下部に吹き込むようになっている。
【００１９】
冷却塔３は、赤熱コークスを循環ガス２で冷却する設備である。冷却塔３は、上部が予備室３Ａ（プリチャンバ、貯留帯）となり、下部が冷却室３Ｂ（冷却帯）となっている。冷却室３Ｂは、小煙道３Ｃ（ガス吸引帯）の上端までの領域であり、その上は、予備室３Ａとなる。冷却塔３においては、予備室３Ａの上部を介して装入される赤熱コークスが、冷却室３Ｂの下部から吹き込まれる循環ガス２の対向流によって冷却（消火）される。
【００２０】
除塵器４は、冷却塔３を通過した循環ガス２に含まれる固形分２ａの少なくとも一部を除塵する設備である。この除塵器４は、重力沈降式の除塵器である。重力沈降式の除塵器４には、邪魔板反転式の除塵器と異なり、邪魔板が存在しない。重力沈降式の除塵器４においては、循環ガス２に含まれる循環ガス２よりも比重の大きい固形分２ａ（主としてコークス粉、その他のダスト）が、重力によって除塵される。
【００２１】
重力沈降式の除塵器４には、循環ガス２が水平方向に通過する煙道４Ａが形成されている。循環ガス２に含まれる固形分２ａは、煙道４Ａを通過する過程で、粒径の大きく重いものから順（優先的）に落下し除塵される。重力沈降式の除塵器４は、煙道４Ａに邪魔板を備えず、上流側よりも下流側の方が流路面積が大きくなっている。このため、重力沈降式の除塵器４では、邪魔板反転式の除塵器に比べて、ボイラ５の入口部８Ｂにおける循環ガス２の流速が遅く、均一となり、また、ボイラ５の入口部８Ｂにおける粉コークス濃度が均一となる、という特徴がある。
【００２２】
ボイラ５は、除塵器４を通過した循環ガス２から赤熱コークスの顕熱を熱回収する設備である。ボイラ５においては、循環ガス２との熱交換により蒸気が生成される。ボイラ５の入口部８Ｂには、蒸気を生成するボイラチューブの一部であるスクリーン管５Ａが配置されている。スクリーン管５Ａは、循環ガス２が通過可能となるように、循環ガス経路８の幅方向（図１において紙面奥行方向）に隙間をあけて並列に配列されている。このスクリーン管５Ａには、不燃性の耐火プロテクターを巻いてもよい。ボイラ５の出口部には、サイクロン５Ｂが設けられている。
【００２３】
循環ガス吹込装置６は、ボイラ５を通過した循環ガス２を冷却塔３の下部から吹き込む設備である。循環ガス吹込装置６は、循環ガス２を供給するブロア６Ａと、供給された循環ガス２を冷却塔３に吹き込むブラストヘッド６Ｂと、供給された循環ガス２をブラストヘッド６Ｂに分配する分配器６Ｃと、を有する。循環ガス吹込装置６においては、ブロア６Ａによって圧送された循環ガス２が分配器６Ｃを介してブラストヘッド６Ｂから冷却塔３の下部に吹き込まれ、循環ガス２は、冷却塔３、除塵器４、ボイラ５の順に循環する。なお、循環ガス吹込装置６は、循環ガス経路８に不活性ガスを補給する不図示のタンクを有する。
【００２４】
循環ガス燃焼装置７は、循環ガス２が循環する循環ガス経路８において、循環ガス２に含まれる可燃成分を燃焼させる設備である。循環ガス燃焼装置７は、除塵器４の上流側の冷却塔３の出口部８Ａにおいて、循環ガス経路８に一次燃焼用空気を供給する一次燃焼用空気供給部１０と、重力沈降除塵を終了した領域である除塵器４の下流側のボイラ５の入口部８Ｂにおいて、循環ガス経路８に二次燃焼用空気を混入させる二次燃焼用空気供給部２０と、を有する。
【００２５】
冷却塔３の出口部８Ａは、冷却塔３の周壁部１３の周方向に沿って設けられた環状煙道１１を有する。環状煙道１１の下流側は、循環ガス２をボイラ５に導く煙道４Ａと連通している。環状煙道１１の底部は、図２に示すように、周方向に略等間隔に設けられた複数の仕切壁１２によって形成されており、隣り合う仕切壁１２の間には小煙道３Ｃが形成されている。この小煙道３Ｃは、冷却塔３の内部に連通している。
【００２６】
一次燃焼用空気供給部１０は、環状煙道１１の底部に開口し、且つ、環状煙道１１の周方向に沿って並ぶ複数の空気供給口１４を有する。空気供給口１４は、複数の仕切壁１２のそれぞれに設けられている。図３に示すように、仕切壁１２の上部には、ノズル１２ａが設けられている。ノズル１２ａは、冷却塔３の周壁部１３と交差する棒状の耐火材に空気通路を形成したものであり、上方に向かって開口する空気供給口１４が形成されている。
【００２７】
空気供給口１４は、分岐管１５に連通している。分岐管１５は、周壁部１３を貫通して冷却塔３の外部に引き出され、冷却塔３の周壁部１３を取り囲む主配管１６に連通している。この主配管１６は、冷却塔３の外部において支持梁１６ａに支持されている。また、主配管１６上には、点検用の足場１６ｂが設けられている。この主配管１６は、空気供給源であるファン２７（図１参照）に接続されている。
【００２８】
一次燃焼用空気供給部１０は、複数の空気供給口１４のそれぞれから供給される一次燃焼用空気の流量を個別に調節する複数の流量調節弁１７を有する。流量調節弁１７は、分岐管１５のそれぞれに設けられている。本実施形態の流量調節弁１７は、手動弁から構成されており、図３に示すように、足場１６ｂからアクセス可能な位置に設けられている。なお、分岐管１５が接続された主配管１６の流量は、図１に示す流量制御系１８により制御する。流量制御系１８は、制御バルブを絞り、主配管１６に供給する流量を調節する。
【００２９】
ボイラ５の入口部８Ｂは、ボイラ５の上部の循環ガス２の流れが水平から鉛直下方に変わる部分を含む。ボイラ５の入口部８Ｂの手前側には、温度センサ９Ａが設けられている。また、ボイラ５の入口部８Ｂの下流側にも温度センサ９Ｂが設けられている。ボイラ５の入口部８ＢのＣ−Ｃ断面における循環ガス経路８は、図４に示すように、下部が矩形状で、上部が半円形状の略かまぼこ型となっている。
【００３０】
二次燃焼用空気供給部２０は、ボイラ５の入口部８Ｂの底部２１に開口し、且つ、循環ガス経路８の幅方向（図４において紙面左右方向）に沿って並ぶ複数の空気供給口２２（第２の空気供給口）を有する。空気供給口２２は、循環ガス経路８（除塵器４の底部開口よりも下流側の煙道４Ａ）の幅方向において略等間隔で配列されている。空気供給口２２は、分岐管２３に連通している。分岐管２３は、図１に示すように、除塵器４の壁部を貫通して煙道４Ａの外部に引き出され、幅方向に延在する主配管２４と連通している。この主配管２４は、空気供給源であるファン２７（図１参照）に接続されている。
【００３１】
二次燃焼用空気供給部２０は、図４に示すように、複数の空気供給口２２のそれぞれから供給される二次燃焼用空気の流量を個別に調節する複数の流量調節弁２５（第２の流量調節弁）を有する。流量調節弁２５は、分岐管２３のそれぞれに設けられている。本実施形態の流量調節弁２５は、手動弁から構成されている。なお、分岐管２３が接続された主配管２４の流量は、図１に示す流量制御系２６により制御する。流量制御系２６は、制御バルブを絞り、主配管２４に供給する流量を調節する。
【００３２】
続いて、上記構成のコークス乾式消火設備１の循環ガス経路８における循環ガス２の反応及び循環ガス燃焼装置７の動作について説明する。
【００３３】
コークス乾式消火設備１においては、閉回路である循環ガス経路８に投入された赤熱コークスが、冷却塔３において不活性ガスを主体とした循環ガス２により、約１０００℃から約２００℃以下に冷却される。赤熱コークスは、水素（Ｈ２）を主体とするボラタイルマターを有しており、冷却塔３内で、その一部を放出する。水素は可燃性ガスであるため、循環ガス燃焼装置７は空気を供給し、その水素を燃焼させ、下記の反応式（１）に示す反応によって水蒸気（Ｈ２Ｏ）に変えることにより、水素濃度を下げる。
Ｈ２  ＋  １／２・Ｏ２  →  Ｈ２Ｏ  …（１）
【００３４】
循環ガス経路８においては、この燃焼により発生した水蒸気が例えば冷却塔３の高温のコークス層を通過する際、下記の反応式（２）に示す水性ガス反応が生じる。
Ｃ  ＋  Ｈ２Ｏ  →  Ｈ２  ＋  ＣＯ  …（２）
この水性ガス反応で発生した一酸化炭素は水素と同様に可燃性ガスであるため、循環ガス経路８においては、空気の供給により、下記の反応式（３）に示す燃焼反応が生じる。
ＣＯ  ＋  １／２・Ｏ２  →  ＣＯ２  …（３）
そして、循環ガス経路８においては、この燃焼により発生した二酸化炭素が例えば冷却塔３の高温のコークス層を通過する際、下記の反応式（４）に示すソリューション反応が生じる。
Ｃ  ＋  ＣＯ２  →  ２ＣＯ  …（４）
【００３５】
循環ガス燃焼装置７の一次燃焼用空気供給部１０では、環状煙道１１の底部に設けられた空気供給口１４から一次燃焼空気が供給される。供給された一次燃焼用空気は、小煙道３Ｃを通過した直後の高温の循環ガス２と混合し、循環ガス２に含まれる可燃性ガス（水素、一酸化炭素）を燃焼させる。また、燃焼により発生した高温ガスは、煙突効果により循環ガス経路８において底部から天井に向かって上昇し、その過程で循環ガス２と均一に混ざり合う。本実施形態では、例えば環状煙道１１の天井や側壁から一次燃焼用空気を供給する場合よりも、燃焼により発生した高温ガスと循環ガス２とが混ざり合う範囲を広く確保でき、循環ガス２の温度分布を均一にすることができる。
【００３６】
ところで、コークス乾式消火設備１では、冷却塔３の出口部８Ａにおいて、一次燃焼用空気を供給し、循環ガス２に含まれる可燃性ガス（水素、一酸化炭素）を燃焼させているが、除塵器４内には、上記水性ガス反応（反応式（２））と上記ソリューション反応（反応式（４））が生じる十分な粉コークス量とガス温度が存在する。このため、循環ガス経路８において、除塵器４の煙道４Ａを通過する間に、可燃性ガス（水素、一酸化炭素）の濃度が再び上昇することがある。
【００３７】
このため、本実施形態の循環ガス燃焼装置７は、除塵器４の下流側のボイラ５の入口部８Ｂにおいて、循環ガス経路８に二次燃焼用空気を混入させる二次燃焼用空気供給部２０を有する。二次燃焼用空気供給部２０では、循環ガス経路８の底部２１に設けられた空気供給口２２から二次燃焼用空気が供給される。供給された二次燃焼用空気は、循環ガス２と混合し、除塵器４内で循環ガス２に生じた可燃性ガス（水素、一酸化炭素）を燃焼させる。また、燃焼により発生した高温ガスは、煙突効果により循環ガス経路８において底部から天井に向かって上昇し、その過程で循環ガス２と均一に混ざり合う。本実施形態では、例えば循環ガス経路８の天井や側壁から二次燃焼用空気を供給する場合よりも、燃焼により発生した高温ガスと循環ガス２とが混ざり合う範囲を広く確保でき、循環ガス２の温度分布を均一にすることができる。
【００３８】
このように、本実施形態によれば、除塵器４の下流側のボイラ５の入口部８Ｂにおいて二次燃焼が行われるため、除塵器４内で水性ガス反応及びソリューション反応が生じ、環境基準において厳しい制限が課される一酸化炭素が再び発生しても、除塵器４内で発生した一酸化炭素の濃度を下げることができる。また、本実施形態では、重力沈降式の除塵器４を採用することで、ボイラ５の入口部８Ｂにおける循環ガス２のガス流速が遅く、ボイラ５の入口部８Ｂの空間容積が大きくなるため、この大きな空間を利用した二次燃焼により、循環ガス２に含まれる一酸化炭素の濃度を効果的に下げることができる。したがって、本実施形態では、赤熱コークスを冷却塔３に装入する際に、装入口から余剰ガスとして循環ガス２を放出する際に、サイクロン５Ｂ、バグフィルター等を通し、問題なく大気に放出することができる。
【００３９】
また、本実施形態では、重力沈降式の除塵器４の上流側の冷却塔３の出口部８Ａにおいて一次燃焼が行われ、その除塵器４の下流側のボイラ５の入口部８Ｂにおいて二次燃焼が行われる。重力沈降式の除塵器４は、邪魔板が無いため、循環ガス２の流れが偏ることがなくガス流速が均一、且つ、温度分布が均一な状態で循環ガス２をボイラ５に導入させることができる。本実施形態では、この重力沈降式の除塵器４を採用することによって、ボイラ５の入口部８Ｂにおいて、循環ガス２のガス流速の均一化及び粉コークス濃度の均一化を図ることができ、ボイラ５の蒸発量最大化及びボイラチューブの長寿命化に対して有利になる。
【００４０】
このように、上述の本実施形態によれば、赤熱コークスを循環ガス２で冷却する冷却塔３と、冷却塔３を通過した循環ガス２に含まれる固形分２ａの少なくとも一部を除塵する除塵器４と、除塵器４を通過した循環ガス２から熱回収するボイラ５と、を有し、冷却塔３、除塵器４、ボイラ５の順に循環ガス２が循環する循環ガス経路８において、循環ガス２を燃焼させるコークス乾式消火設備１の循環ガス燃焼装置７であって、除塵器４は、重力沈降式の除塵器であり、除塵器４の上流側の冷却塔３の出口部８Ａにおいて、循環ガス経路８に一次燃焼用空気を供給する一次燃焼用空気供給部１０と、除塵器４の下流側のボイラ５の入口部８Ｂにおいて、循環ガス経路８に二次燃焼用空気を混入させる二次燃焼用空気供給部２０と、を有する、という構成を採用することによって、ボイラ５の寿命延長を実現でき、且つ、循環ガス２に含まれる一酸化炭素の濃度を低減できる。
【００４１】
以上、図面を参照しながら本発明の好適な実施形態について説明したが、本発明は上記実施形態に限定されるものではない。上述した実施形態において示した各構成部材の諸形状や組み合わせ等は一例であって、本発明の主旨から逸脱しない範囲において設計要求等に基づき種々変更可能である。
【００４２】
例えば、本発明は変形例として、図５〜図７に示す構成を採用し得る。
【００４３】
図５は、本発明の実施形態の一変形例に係る一次燃焼用空気供給部１０の構成を示す図である。
図５に示すように、一次燃焼用空気供給部１０では、流量調節弁１７を操作し、環状煙道１１の周方向における一次燃焼空気の流量分布を調節している。図５に示す例では、環状煙道１１において、煙道４Ａに接続される位置を一次燃焼用空気の最大流量とし、その位置から離れるに従って一次燃焼用空気の流量を小さくするようにしている（図５において点線矢印で示す）。環状煙道１１においては、煙道４Ａに向かって徐々に循環ガス２の流量が大きくなるため、循環ガス２の環状煙道１１における流れに適した配分で、一次燃焼用空気を供給することができる。
【００４４】
図６は、本発明の実施形態の一変形例に係る二次燃焼用空気供給部２０の構成を示す図である。
図６に示すように、二次燃焼用空気供給部２０では、流量調節弁２５を操作し、循環ガス経路８の幅方向における二次燃焼空気の流量分布を調節している。図６に示す例では、循環ガス経路８において、幅方向の中央を二次燃焼用空気の最大流量とし、中央から離れるに従って二次燃焼用空気の流量を小さくするようにしている（図６においてドットパターン付き矢印で示す）。循環ガス経路８の天部２８は円弧状に形成され、中央に向かって循環ガス２の流量が大きくなるため、循環ガス２の循環ガス経路８における流れに適した配分で、二次燃焼用空気を供給することができる。
【００４５】
図７は、本発明の実施形態の一変形例に係る二次燃焼用空気供給部２０の構成を示す図である。
上述の実施形態では、循環ガス経路８の底部２１に空気供給口２２（空気供給口２２ａで表す）を設けていたが、本発明はこの構成に限定されることなく、循環ガス経路８の天部２８に空気供給口２２（空気供給口２２ｂで表す）を設けてもよい。また、空気供給口２２ａ，２２ｂのうち少なくともいずれか一つを採用することができ、組み合わせは任意である。
【００４６】
また、例えば、図１に示すボイラ５の出口に、循環ガス２のガス成分を分析するガス分析装置を設ければ、下記（１）〜（３）のような制御が可能である。
【００４７】
（１）例えば、一酸化炭素の濃度が、所定の閾値（例えば環境基準に基づく値）を超えており、ボイラ５の入口部８Ｂにおける温度が、所定の閾値（例えば設計温度）を超えそうな場合には、ブロア６Ａによって循環ガス２の流量を増すことにより、冷却風量を増やす。
【００４８】
（２）また、例えば、ボイラ５の入口部８Ｂにおける温度センサ９Ｂの温度が、所定の閾値（例えば設計温度）以下で、一酸化炭素の濃度が、所定の閾値（例えば環境基準に基づく値）を超えており、循環ガス２の残存酸素（Ｏ２）の濃度が所定の閾値（冷却塔３から切り出されるコークスの温度に基づく値）を超えそうな場合には、ファン２７による空気供給量はそのままとして、流量制御系１８，２６により、一次燃焼用空気供給部１０と二次燃焼用空気供給部２０とに供給する空気流量の比率を調節する。この場合、二次燃焼用空気供給部２０の空気流量の比率を大きくすることが効果的である。
【００４９】
（３）また、例えば、上記（２）の制御でも、一酸化炭素の濃度が拡大した場合には、一次燃焼用空気供給部１０と二次燃焼用空気供給部２０の空気供給分布を調節する。具体的には、均一な分布から、図５及び図６に示すような分布に調節することができる。
【符号の説明】
【００５０】
１…コークス乾式消火設備、２…循環ガス、２ａ…固形分、３…冷却塔、４…除塵器、５…ボイラ、７…循環ガス燃焼装置、８…循環ガス経路、８Ａ…出口部、８Ｂ…入口部、１０…一次燃焼用空気供給部、１１…環状煙道、１２…仕切壁、１２ａ…ノズル（底部）、１３…周壁部、１４…空気供給口、１７…流量調節弁、２０…二次燃焼用空気供給部、２１…底部、２２（２２ａ，２２ｂ）…空気供給口（第２の空気供給口）、２５…流量調節弁
【図１】
2016089039.tif 000003
【図２】
2016089039.tif 000004
【図３】
2016089039.tif 000005
【図４】
2016089039.tif 000006
【図５】
2016089039.tif 000007
【図６】
2016089039.tif 000008
【図７】
2016089039.tif 000009